(57)【特許請求の範囲】
【請求項１】
椅子の座支持部に着脱可能な座部であって、
座部本体と、
前記座部本体に設けられ、前記座部本体を前記座支持部に取り付けるための取付部と、
前記座部本体に設けられた連結部と、
を備え、
前記座部本体は、弾性変形可能な底壁を有する下側支持部材と、前記下側支持部材上に配置される上側支持部材と、前記下側支持部材の底壁と前記上側支持部材との間に配置される、略剛体から成る力伝達部と、を備え、前記上側支持部材に加えられた荷重は前記力伝達部によって前記底壁に伝達され、
前記椅子から取り外した状態で、前記連結部を別の前記座部の連結部と連結させることにより敷物として使用可能である、
座部。
【請求項２】
前記連結部は、挿入部と、受領部と、を備え、
前記挿入部は、前記別の座部の受領部に挿入可能であり、
前記受領部は、前記別の座部の挿入部を受領可能である、
請求項１に記載の座部。
【請求項３】
請求項１又は２に記載の座部を備えた椅子。 
【発明の詳細な説明】
【技術分野】
【０００１】
本発明は、椅子に着脱可能に取り付けられる座部であって、椅子から取り外して複数連結させることでマット等の敷物として利用可能な座部に関する。
【背景技術】
【０００２】
脚部と、座支持部と、座部とを備える椅子が知られている（特許文献１）。このような椅子では、座部は座支持部に固定されているため、座支持部から簡単には取り外せないようになっている。
【先行技術文献】
【特許文献】
【０００３】
【特許文献１】特許第５４３３１０６号公報
【発明の概要】
【発明が解決しようとする課題】
【０００４】
ところで、災害時には体育館などの避難所に避難し、そこで数日間から数週間にわたって避難生活をしなければならないことがある。ほとんどの避難所の床は硬く、また、冬季には冷たい。しかしながら、多くの場合、布団やマットなどの敷物は災害後すぐには準備できず、避難者はしばらくの間、床の上で生活することを余儀なくされる。
【０００５】
本発明は、椅子の座部としてだけでなく、敷物としても使用可能な座部、及び当該座部を備えた椅子を提供することを目的とする。
【０００６】
本発明は、椅子に着脱可能な座部を、敷物として使用する方法を提供することを目的とする。
【課題を解決するための手段】
【０００７】
本願は、以下に掲げる態様の発明を提供する。
（項目１）
椅子の座支持部に着脱可能な座部であって、
座部本体と、
前記座部本体に設けられ、前記座部本体を前記座支持部に取り付けるための取付部と、
前記座部本体に設けられた連結部と、
を備え、
前記椅子から取り外した状態で、前記連結部を別の前記座部の連結部と連結させることにより敷物として使用可能である、
座部。
【０００８】
（項目２）
前記連結部は、挿入部と、受領部と、を備え、
前記挿入部は、前記別の座部の受領部に挿入可能であり、
前記受領部は、前記別の座部の挿入部を受領可能である、
項目１に記載の座部。
【０００９】
（項目３）
前記座部本体は、弾性変形可能な底壁を有する下側支持部材と、前記下側支持部材上に配置される上側支持部材と、前記下側支持部材の底壁と前記上側支持部材との間に配置される力伝達部と、を備え、
前記上側支持部材に加えられた荷重が前記力伝達部によって前記底壁に伝達される、
項目１又は２に記載の座部。
【００１０】
（項目４）
項目１から３のいずれか１項に記載の座部を備えた椅子。
【００１１】
（項目５）
椅子の座支持部に着脱可能な座部の使用方法であって、
前記座部を前記座支持部から取り外し、別の前記座部と連結させることで敷物として使用する、
座部の使用方法。
【発明の効果】
【００１２】
本発明の座部は、椅子の座部としてだけでなく、複数連結させることで敷物としても利用できる。
【００１３】
本発明により、座部を敷物として利用する方法が提供できる。
【図面の簡単な説明】
【００１４】
【図１】椅子の斜視図である。
【図２】図１のＩＩ−ＩＩ線断面図である。
【図３】斜め下方から見た座部の斜視断面図である。
【図４】斜め上方から見た座部の斜視図である。
【図５】複数の座部を連結させて敷物として使用している状態を表す斜視図である。
【図６】図５のＶＩ−ＶＩ線断面図である。
【発明を実施するための形態】
【００１５】
本発明の椅子及び座部について図面を参照しながら説明する。以下で説明する実施形態は、本発明の好ましい一具体例を示すものである。本発明は、以下の実施形態に限定されず、その主旨を逸脱しない範囲で適宜変更可能である。
【００１６】
＜１  椅子の全体構成＞
図１は椅子１の斜視図である。椅子１は、脚部２と、座部フレーム３（図３参照）と、座部４と、背もたれ５と、を備える。図１には椅子１として折り畳み椅子を例示しているが、椅子１は折り畳み椅子に限定されない。以下では、図１に示すように、着座者を基準として椅子１の上下前後左右を規定する。
【００１７】
脚部２は、前脚２１と、後脚２２と、から成る。前脚２１及び後脚２２はパイプを折り曲げることにより構成されている。前脚２１の上部には背もたれ５が接続されている。後脚２２は、前脚２１にリベット等の軸部材６によって回転可能に接続されている。
【００１８】
座部フレーム３（図３参照）は、矩形状に折り曲げられた丸パイプから成る。座部フレーム３は、軸部材６によって、前脚２１及び後脚２２に回転可能に接続されている。
【００１９】
座部４は、座部フレーム３に着脱可能に取り付けられている。
【００２０】
後述するように、座部４は、椅子１の座部として使用できるだけでなく、椅子１から取り外して複数連結させることにより、敷物としても使用できる。
【００２１】
＜２  座部＞
以下では、図２から図６を参照して座部４の詳細な構造について説明する。図２は図１のＩＩ−ＩＩ線断面図である。図３は斜め下方から見た座部４の斜視断面図である。図４は斜め上方から見た座部４単体の斜視図である。
【００２２】
図２から図４に示すように、座部４は、下側支持部材４１と、上側支持部材４２と、を備え、外観視で矩形状である。下側支持部材４１と上側支持部材４２とは別部材から成る。下側支持部材４１は上方が開口した凹部４１ａを有している。上側支持部材４２はその一部が下側支持部材４１の凹部４１ａ内に収容されると共に、下側支持部材４１上に載置されている。下側支持部材４１及び上側支持部材４２はそれぞれ弾性変形可能な材料から構成され、好ましくは樹脂製である。好ましくは下側支持部材４１及び上側支持部材４２はそれぞれ、樹脂製の一体成型品である。
【００２３】
＜２−１  下側支持部材＞
主に図２及び図３を参照して、下側支持部材４１について説明する。図２及び図３に示すように、下側支持部材４１は、底壁４１１と、第一縦壁４１２と、上壁４１３と、第二縦壁４１４と、連結壁４１５と、第三縦壁４１６と、を備える。図３及び図４に示すように、左側及び右側の第二縦壁４１４には軸部材６を収容するための切欠き４１４ａが形成されている。また、左側及び右側の第三縦壁４１６には、軸部材６を収容するための切欠き４１６ａが形成されている。
【００２４】
底壁４１１は矩形状で水平に広がっており、複数の貫通穴４１１ａを有する。これにより、座部４を椅子の座部として使用した場合、底壁４１１は下方に向けた力を受けると、下方に撓みやすく（つまり、弾性変形しやすく）なっている。本実施形態では、貫通穴４１１ａは前後方向に延びる長穴である。複数の貫通穴４１１ａは、好ましくは図３に示すように、左右の隣接する貫通穴４１１ａと、前後方向にずれて（つまり、互い違いに）配置される。貫通穴４１１ａは左右方向に延びる長穴であって、前後に隣接する貫通穴４１１ａと、左右方向にずれて配置されていてもよい。
【００２５】
第一縦壁４１２は底壁４１１から立ち上がっている。凹部４１ａは底壁４１１と第一縦壁４１２とによって画定されている。
【００２６】
上壁４１３は、第一縦壁４１２の上部から外方に延びている。上壁４１３には、後述する上側支持部材４２の係止爪４２３を挿入するための貫通穴（不図示）が形成されている。
【００２７】
第二縦壁４１４は、上壁４１３から下方に延び、第一縦壁４１２と離隔して配置されている。下側支持部材４１の裏側の周辺部には、第一縦壁４１２、上壁４１３及び第二縦壁４１４によって、下方が開口した凹部４１ｂが画定されている。この凹部４１ｂは、座部４を座部フレーム３に取り付けるための取付部として機能しており、凹部４１ｂ内には座部フレーム３が収容される。
【００２８】
前方側の第二縦壁４１４には複数の第一係止部４１７が左右方向に離隔して設けられている。後方側の第二縦壁４１４には複数の第二係止部４１８が左右方向に離隔して設けられている。第一係止部４１７及び第二係止部４１８は、座部４を椅子の座部として使用しているときに、座部４が座部フレーム３から不用意に外れないように、座部４を座部フレーム３に係止するために設けられている。
【００２９】
第一係止部４１７は、前方側の第二縦壁４１４の内面から湾曲しつつ後方に延び、座部フレーム３の下方に位置している。第一係止部４１７は、弾性変形可能である。
【００３０】
第一係止部４１７の後端は、座部フレーム３の中心（つまり、丸パイプの中心）を通る縦中心線まで又はその縦中心線よりも後方の位置まで延びていることが好ましい。すなわち、第一係止部４１７の前後方向長さは、座部フレーム３の半径（つまり、丸パイプの半径）と同じか、又は座部フレーム３の半径よりも長くなっていることが好ましい。
【００３１】
また、第一係止部４１７の湾曲部分の曲率半径は座部フレーム３の外周の曲率半径と略同じであることが好ましい。これにより、第一係止部４１７は座部フレーム３の表面に密着する
【００３２】
第二係止部４１８は、後方側の第二縦壁４１４の内面から前方に突出する突起部である。第二係止部４１４はその先端が座部フレーム３の下部に接触している。
【００３３】
前方側及び右側の連結壁４１５Ｘは、第二縦壁４１４の上部から外方に延びている。前方側及び右側の第三縦壁４１６Ｘは、連結壁４１５Ｘから下方に延び、第二縦壁４１４と離隔して配置されている。下側支持部材４１の前方側及び右側においては、第二縦壁４１４、連結壁４１５Ｘ及び第三縦壁４１６Ｘによって、下方が開口した凹部４１ｃが画定されている。
【００３４】
後方側及び左側の連結壁４１５Ｙは、第二縦壁４１４の下部から外方に延びている。後方側及び左側の第三縦壁４１６Ｙは、連結壁４１５Ｘから上方に延び、第二縦壁４１４と離隔して配置されている。下側支持部材４１の後方側及び左側においては、第二縦壁４１４、連結壁４１５Ｙ及び第三縦壁４１６Ｙによって、上方が開口した凹部４１ｄが画定されている。
【００３５】
第三縦壁４１６Ｘ、４１６Ｙ、及び凹部４１ｃ、４１ｄは、複数の座部４同士を連結させるための連結部として機能する。ここでは、図５及び図６を参照して、連結部について詳細に説明する。図５は複数の座部４を連結させた状態の斜視図であり、図６は図５のＶＩ−ＶＩ線断面図である。
【００３６】
図６に示すように、複数の座部４を連結させる際には、第一の座部４の第三壁部４１６Ｘを、第二の座部４の凹部４１ｄ内に挿入すると共に、第二の座部４の第三壁部４１６Ｙを、第一の座部４の凹部４１ｃ内に挿入する。複数の座部４を連結させたとき、複数の座部４の上側支持部材４２の上面はほぼ面一となる。
【００３７】
凹部４１ｃは第三壁部４１６Ｙと相補的形状を有し、第三壁部４１６Ｙが凹部４１ｃ内にほぼ隙間なく嵌合することが好ましい。また、凹部４１ｄは第三壁部４１６Ｘと相補的形状を有し、第三壁部４１６Ｘが凹部４１ｄ内にほぼ隙間なく嵌合することが好ましい。これにより、連結部におけるガタつきが抑えられると共に、不用意な連結解除を防止することができる。
【００３８】
＜２−２  上側支持部材＞
次に、図２から図４を参照して、上側支持部材４２について説明する。上側支持部材４２は、水平に広がる壁部４２１と、複数の力伝達部４２２と、を備える。壁部４２１は、第一領域４２１ａと第二領域４２１ｂと有し、外観視で矩形状である。第一領域４２１ａは、下側支持部材４１の上壁４１３上に載置される領域である。第二領域４２１ｂは凹部４１ａ上に位置する領域であり、主として使用者の臀部が載置される領域である。
【００３９】
図２に示すように、第一領域４２１ａには、下方に延びる係合爪４２３が形成されている。係止爪４２３は下側支持部材４１の貫通穴（不図示）に挿入される。これにより、上側支持部材４２は下側支持部材４１に着脱可能に取り付けられる。
【００４０】
図４に示すように、第二領域４２１ｂには、複数の貫通穴４２１ｃが形成されている。これにより、第二領域４２１ｂは下方に向けた力を受けると、下方に撓みやすく（つまり、弾性変形しやすく）なっている。本実施形態では、貫通穴４２１ｃは前後方向に延びる長穴である。複数の貫通穴４２１ｃは、好ましくは図４に示すように、左右に隣接する貫通穴４２１ｃと、前後方向にずれて（つまり、互い違いに）配置される。貫通穴４２１ｃは左右方向に延びる長穴であって、前後に隣接する貫通穴４２１ｃと、左右方向にずれて配置されていてもよい。
【００４１】
図２及び図３に示すように、力伝達部４２２は、壁部４２１の第二領域４２１ｂから下方に延びると共に下側支持部材４１の底壁４１１の上面と接触している。より詳細には、力伝達部４２２は、第一部分４２２ａと、第二部分４２２ｂと、第三部分４２２ｃとを備え、断面視で逆台形であり、逆台形の内側は中空になっている。第一部分４２２ａは、貫通穴４２１ｃの前方側の縁部から下方後方に傾斜して延びている。第二部分４２２ｂは、貫通穴４２１ｃの後方側の縁部から下方前方に傾斜して延びている。第三部分４２２ｃは第一部分４２２ａと第二部分４２２ｂとを接続する、前後方向に水平に延びる部分であり、下側支持部材４２の底壁４１１の上面に接触している。力伝達部４２２は剛性が高く、上方から力が加えられてもほとんど上下方向に変形しない。力伝達部４２２は、使用者が座部４に着座することによって上側支持部材４２の第二領域４２１ｂに荷重が掛かったとき、その加えられた下方への力を下側支持部材４１の底壁４１１に伝達する。
【００４２】
＜３  座部の使用方法＞
座部４の使用方法について説明する。座部４を椅子１から取り外す際には、座部４の後方側を持ち上げ、第二係止部４１８を座部フレーム３から外す。そして、座部４を前方にずらすことで、座部４全体を座部フレーム３から取り外すことができる。
【００４３】
複数の座部４を連結させて敷物として使用する際には、第一の座部４の第三壁部４１６Ｘを第二の座部４の凹部４１ｄに挿入し、第一の座部４の凹部４１ｃに第二の座部４の第三壁部４１６Ｙを挿入する。こうして、複数の座部４が縦及び／又は横に連結された敷物が完成する。
【００４４】
座部４を座部フレーム３に取り付ける際には、まず、第一係止部４１７に座部フレーム３を引っ掛ける。次に、座部４の後方側を座部フレーム３に嵌め込む。こうして、座部４を座部フレーム３に取り付け、椅子１の座部として使用することができる。
【００４５】
＜４  特徴＞
本発明の座部４は、椅子の座部４として使用できると共に、椅子１から取り外して複数連結させることで敷物としても使用できる。したがって、災害対策用の敷物を別途準備及び保管する必要がなくなる。
【００４６】
座部４は、椅子１の座部４として使用される場合、使用者が座部４に座ると、上側支持部材４２の第二領域４２１ｂに掛かった荷重が力伝達部４２２によって下側支持部材４１の底壁４１１に伝達される。下側支持部材４１の下方には何ら物体が存在しない（つまり、空間しか存在しない）ため、力伝達部４２２によって下側支持部材４１の底壁４１１が押圧されると、下側支持部材４１の底壁４１１は下方に撓む。これにより、座り心地がよくなる。
【００４７】
座部４を敷物として使用した場合、座部４は床に置かれ、下側支持部材４１の底壁４１１は床によって支持される。加えて、前記の通り、力伝達部４２２は剛性が高く、ほとんど上下方向に変形しない。そのため、使用者が座部４に座ったり横たわったりしたとしても、上側支持部材４２及び下側支持部材４１の底壁４１１はほとんど撓まない。すなわち、敷物全体にわたって撓みの程度が同じになるため、使用者が、底壁４１１が撓むことによる違和感を覚えることがない。
【００４８】
下側支持部材４１及び上側支持部材４２を樹脂製にすると共に、力伝達部４２２を中空形状とすることにより、座部４の強度を確保しつつ、座部４を軽量にすることができる。
【００４９】
座部４は、座部フレーム３に嵌め込むだけで取り付けることができ、さらに、工具を使用することなく取り外すことができる。また、第一係止部４１７は弾性変形可能であるため、座部４の取り付け、及び取り外しが行いやすい。
【００５０】
座部４が座部フレーム３に第一係止部４１７及び第二係止部４１８により係止されていることにより、座部４を持ち上げたとしても、座部４が不用意に座部フレーム３から外れることがない。特に、椅子１を持ち運んだり、折り畳み椅子を折り畳んだりする場合など、座部４の前方側は持ち上げられる頻度が高いが、第一係止部４１７が座部フレーム３の下方に位置し、且つ座部フレーム３の半径以上にわたって延びていることにより、座部４の前方側を持ち上げたとしても、座部４は座部フレーム３から容易には外れない。
【００５１】
＜５  変形例＞
以下では、椅子１及び座部４の変形例について説明する。上記実施形態で既に説明した構成要素は上記実施形態と同一の符号を付し、その説明を省略すると共に、上記実施形態との相違点を中心に説明する。なお、以下で説明する変形例は本発明の主旨を逸脱しない範囲で適宜組み合わせ可能である。
【００５２】
（１）座部４は、上側支持部材４２の上に配置されたクッション材を備えていてもよい。クッション材は例えばポリウレタンから作製することができる。 
【００５４】
（２）連結部は下側支持部材４１の四辺すべてに設ける必要はない（つまり、下側支持部材４１が四つの連結部を有する必要はない）。連結部の数は、所望する敷物の大きさなどを考慮して、決定すればよい。また、連結部の構成も、例えば前方側の連結壁４１５Ｘ及び第三縦壁４１６Ｘをそれぞれ後方側の連結壁４１５Ｙ及び第三縦壁４１６Ｙのように構成するなど、所望する使用態様に応じて適宜変更可能である。
【符号の説明】
【００５５】
１        椅子
２        脚部
３        座部フレーム（座支持部）
４        座部
４１      下側支持部材（座部本体の一部）
４１ｂ    凹部（取付部）
４１ｃ    凹部（連結部の一部、受領部）
４１ｄ    凹部（連結部の一部、受領部）
４１１    底壁
４１６    第三縦壁（連結部の一部、挿入部）
４２      上側支持部材（座部本体の一部）
４２２    力伝達部
【要約】
【課題】椅子の座部としてだけでなく、敷物としても使用可能な座部を提供する。
【解決手段】座部４は、座部本体４１、４２を備える。座部本体４１は、座部フレーム３を取り付けるための凹部４１ｂと、複数の座部４を連結させる連結部として機能する凹部４１ｃ、凹部４１ｄ、第三縦壁４１６Ｘ、及び第三縦壁４１６Ｙと、を備える。座部４は複数連結させることで敷物として利用可能である。
【選択図】図４【図１】
0006628384.tif 000002
【図２】
0006628384.tif 000003
【図３】
0006628384.tif 000004
【図４】
0006628384.tif 000005
【図５】
0006628384.tif 000006
【図６】
0006628384.tif 000007